(57)【要約】【課題】  ユーザに煩わしい操作を強いることなく、直観的な操作によって所望する画像を表示することが可能な表示制御装置等を提供する。【解決手段】  表示制御装置２は、表示装置１０１と外部装置１０２との相対位置を検出する検出部３と、相対位置に応じて、特定の部分画像を表す画像情報を抽出する抽出部５と、特定の部分画像を表す画像情報を、第２表示部１０４に表示させる制御部４とを備える。【選択図】      図１
2016157051.tif 000002
【特許請求の範囲】
【請求項１】
表示対象になり得る全体画像のうち、一部の領域を表す画像情報を第１表示手段に表示可能な表示装置と、該表示装置と通信可能に接続された外部装置との相対位置を検出する検出手段と、
前記相対位置に応じて、前記第１表示手段に表示されていない領域に対応する画像情報のうち、前記全体画像に含まれる特定の部分画像を表す画像情報を抽出する抽出手段と、
抽出した前記特定の部分画像を表す画像情報に基づいて、前記外部装置が有する第２表示手段に前記特定の部分画像を表示させる制御手段と、を備える
表示制御装置。
【請求項２】
前記検出手段は、前記相対位置として、
前記表示装置と前記外部装置との間の距離と、前記表示装置と前記外部装置とがなす角度とを検出する
請求項１に記載の表示制御装置。
【請求項３】
前記検出手段は、前記相対位置として、
前記外部装置の移動方向と移動距離とを検出する
請求項１または請求項２に記載の表示制御装置。
【請求項４】
ユーザによる操作を検出すると共に、検出した操作に基づいて前記表示装置及び前記外部装置の少なくとも何れかを操作することが可能な操作手段をさらに備える
請求項１乃至請求項３の何れかに記載の表示制御装置。
【請求項５】
前記抽出手段は、
前記全体画像を表す前記画像情報を、前記第２表示手段が表示可能な複数の領域に分割し、該分割した複数の領域の中から、前記相対位置に基づき前記特定の部分画像を表す画像情報を抽出する
請求項１乃至請求項４の何れかに記載の表示制御装置。
【請求項６】
表示対象になり得る全体画像のうち、一部の領域を表す画像情報を第１表示手段に表示可能な表示装置と、該表示装置と通信可能に接続された外部装置とにより構成された表示システムであり、
前記表示装置は、
前記表示装置と前記外部装置との相対位置に応じて、前記第１表示手段に表示されていない領域に対応する画像情報のうち、前記全体画像に含まれる特定の部分画像を表す画像情報を抽出する抽出手段を備え、
前記外部装置は、
前記相対位置を検出すると共に、検出した該相対位置を前記抽出手段に対して与える検出手段と、
前記抽出手段によって抽出された前記特定の部分画像を表す画像情報に基づいて、前記外部装置が有する第２表示手段に前記特定の部分画像を表示させる制御手段と、を備える
表示システム。
【請求項７】
情報処理装置によって、
表示対象になり得る全体画像のうち、一部の領域を表す画像情報を第１表示手段に表示可能な表示装置と、該表示装置と通信可能に接続された外部装置との相対位置を検出し、
前記相対位置に応じて、前記第１表示手段に表示されていない領域に対応する画像情報のうち、前記全体画像に含まれる特定の部分画像を表す画像情報を抽出し、
抽出した前記特定の部分画像を表す画像情報に基づいて、前記外部装置が有する第２表示手段に前記特定の部分画像を表示させる
表示方法。
【請求項８】
表示対象になり得る全体画像のうち、一部の領域を表す画像情報を第１表示手段に表示可能な表示装置と、該表示装置と通信可能に接続された外部装置との相対位置を、検出手段を用いて検出する機能と、
前記相対位置に応じて、前記第１表示手段に表示されていない領域に対応する画像情報のうち、前記全体画像に含まれる特定の部分画像を表す画像情報を抽出する機能と、
抽出した前記特定の部分画像を表す画像情報に基づいて、前記外部装置が有する第２表示手段に前記特定の部分画像を表示させる機能と、を
コンピュータに実現させるコンピュータ・プログラム。
【発明の詳細な説明】
【技術分野】
【０００１】
本発明は、複数の表示装置に画像などの情報を表示する技術分野に関する。
【背景技術】
【０００２】
例えば、マルチディスプレイシステムは、メインディスプレイとサブディスプレイとの２つのディスプレイ（表示装置）によって、表示可能な領域を拡大することができる。即ち、マルチディスプレイシステムを利用することによって、ユーザは、同一の画像を、２台のディスプレイ（表示装置）に表示することができる。或いは、ユーザは、２台のディスプレイを、仮想的に連結した１つのディスプレイとして利用することができる。これにより、ユーザの利便性は向上する。
【０００３】
ここで、本願出願に先立って存在する関連技術としては、例えば、特許文献１乃至特許文献４がある。
【０００４】
特許文献１は、画像表示装置、方法及びプログラムに関する技術を開示する。画像表示装置は、メインディスプレイと、そのディスプレイと平行ではなく、角度を設けて設置されたサブディスプレイとに仮想デスクトップ画面を表示する。より具体的に、画像表示装置は、サブディスプレイに対して正面に位置しないユーザが当該サブディスプレイを見た場合であっても、メインディスプレイに表示されたデスクトップ画面と連続する態様によって表示可能なように仮想デスクトップ画面を生成する。
【０００５】
特許文献２は、画像処理装置及び方法、並びに画像表示システムに関する技術を開示する。画像処理装置は、メインディスプレイと、メインディスプレイの両端（左右方向）に設置された２つのサブディスプレイとを備える。画像処理装置は、それらディスプレイに表示する画像に対して、所定の画像処理を施す。即ち、画像処理装置は、メインディスプレイの正面に位置するユーザに向けてサブディスプレイを傾けて設置した場合に、その傾きによって生じる画像の歪みを補正する。より具体的に、画像処理装置は、ユーザの位置と、サブディスプレイの傾きを示す角度とを検出する。画像処理装置は、検出結果に基づいて、画像の歪みを補正する。これによって、画像処理装置は、２つのサブディスプレイが傾けて設置されている場合であっても、それらディスプレイに歪みの無い画像を表示させることができる。
【０００６】
特許文献３は、表示制御装置及びプログラムに関する技術を開示する。表示制御装置は、解像度が異なる複数の表示画面に、同一サイズの画像情報を並列的に表示する。また、表示制御装置は、各表示画面とユーザの視線位置との距離が変動した場合であっても、同一のサイズとなるように画像情報の表示倍率を調整する。
【０００７】
特許文献４は、表示システム、表示制御装置、表示装置、表示方法及びユーザインタフェイス装置に関する技術を開示する。表示制御装置は、ユーザを取り囲むように表現された映像情報を、ユーザの周囲に設置された複数の表示装置に表示可能なように分割する。また、表示制御装置は、分割した映像情報を、複数の表示装置に表示する。より具体的に、表示装置は、自装置の位置を検出する。表示装置は、検出した自装置の位置を示す情報を、表示制御装置に対して通知する。また、表示制御装置は、当該位置を示す情報に基づいて、表示装置に表示すべき映像を生成する。これにより、表示装置は、設置位置に応じて、最適な映像を表示することができる。
【先行技術文献】
【特許文献】
【０００８】
【特許文献１】特開２０１０−０９１７６４号公報
【特許文献２】特開２００５−２９３１９７号公報
【特許文献３】特開２００５−１４９１７５号公報
【特許文献４】特開２００５−０９９０６４号公報
【発明の概要】
【発明が解決しようとする課題】
【０００９】
上述したマルチディスプレイシステムにおいて、例えば、表示対象である図（図面）のサイズが大きい場合に、メインディスプレイは、その図面全体を表示することができない場合がある。即ち、メインディスプレイは、表示できない部分がカットされたように、一部の図だけを表示することとなる。そのため、ユーザは、当該図を縮小することによって表示（縮小表示）する。或いは、ユーザは、例えば、当該図を、水平または垂直方向にスクロールすることによって、表示する必要がある。
【００１０】
しかしながら、上述した表示方法では、図を縮小する、または図をスクロースするなどの手間が生じる。より具体的に、例えば、当該表示方法は、ユーザが所望する箇所を表示させることを目的として、アプリケーションなどのソフトウェアにおいて操作が必要となる可能性がある。即ち、当該表示方法では、ユーザにとって煩わしい操作が必要である。
【００１１】
また、特許文献１乃至特許文献４には、メインディスプレイの横に角度を設けて設置されたサブディスプレイに表示する画像の歪み補正や画像サイズを補正することが記載されているに留まる。そのため、特許文献１乃至特許文献４には、画面に表示できない図のうち、注目する部分的な図を表示することについて、考慮されておらず何ら述べられていない。
【００１２】
本発明は、ユーザに煩わしい操作を強いることなく、直観的な操作によって所望する画像を表示することが可能な表示制御装置等を提供することを主たる目的とする。
【課題を解決するための手段】
【００１３】
上記の課題を達成すべく、本発明の一態様に係る表示制御装置は、以下の構成を備える。
【００１４】
即ち、本発明の一態様に係る表示制御装置は、
表示対象になり得る全体画像のうち、一部の領域を表す画像情報を第１表示手段に表示可能な表示装置と、該表示装置と通信可能に接続された外部装置との相対位置を検出する検出手段と、
前記相対位置に応じて、前記第１表示手段に表示されていない領域に対応する画像情報のうち、前記全体画像に含まれる特定の部分画像を表す画像情報を抽出する抽出手段と、
抽出した前記特定の部分画像を表す画像情報に基づいて、前記外部装置が有する第２表示手段に前記特定の部分画像を表示させる制御手段とを備える。
【００１５】
或いは、同目的は、上記に示す表示制御装置を含む表示システムによっても達成される。
【００１６】
また、同目的を達成すべく、本発明の一態様に係る表示方法は、以下の構成を備える。
【００１７】
即ち、本発明の一態様に係る表示方法は、
情報処理装置によって、
表示対象になり得る全体画像のうち、一部の領域を表す画像情報を第１表示手段に表示可能な表示装置と、該表示装置と通信可能に接続された外部装置との相対位置を検出し、
前記相対位置に応じて、前記第１表示手段に表示されていない領域に対応する画像情報のうち、前記全体画像に含まれる特定の部分画像を表す画像情報を抽出し、
抽出した前記特定の部分画像を表す画像情報に基づいて、前記外部装置が有する第２表示手段に前記特定の部分画像を表示させる。
【００１８】
尚、同目的は、上記の各構成を有する表示制御装置及び表示方法を、コンピュータによって実現するコンピュータ・プログラム、及びそのコンピュータ・プログラムが格納されている、読み取り可能な記録媒体によっても達成される。
【発明の効果】
【００１９】
本発明によれば、ユーザに煩わしい操作を強いることなく、直観的な操作によって所望する画像を表示することが可能な表示制御装置等を提供することができる。
【図面の簡単な説明】
【００２０】
【図１】本発明の第１の実施形態における表示制御装置を含む表示システムの構成を示すブロック図である。
【図２】本発明の第１の実施形態における測距センサの構成を概念的に例示する図である。
【図３】本発明の第１の実施形態における測距センサ及び光センサの構成を概念的に例示する図である。
【図４】本発明の第１の実施形態における抽出部によって表示対象になり得る全体画像が分割された態様を概念的に例示する図である。
【図５】本発明の第２の実施形態における表示制御装置を含む表示システムの構成を示すブロック図である。
【図６】本発明の第２の実施形態におけるメインディスプレイと操作装置とに画像を表示した態様を具体的に例示する図である。
【図７】本発明の第２の実施形態における表示制御装置が行う動作を示すフローチャートである。
【図８】本発明の第２の実施形態におけるメインディスプレイと操作装置とに画像を表示した態様を具体的に例示する図である（移動後）。
【図９】本発明の第２の実施形態におけるメインディスプレイと、タッチパネルを有する操作装置とに画像を表示した態様を具体的に例示する図である。
【図１０】本発明の第２の実施形態におけるタブレット端末として動作するメインディスプレイと、小型端末として動作する操作装置とに画像を表示した態様を具体的に例示する図である。
【図１１】本発明に係る各実施形態を実現可能な情報処理装置のハードウェア構成を例示的に説明するブロック図である。
【発明を実施するための形態】
【００２１】
以下、本発明の実施形態について図面を参照して詳細に説明する。
【００２２】
＜第１の実施形態＞
図１は、本発明の第１の実施形態における表示制御装置２を含む表示システム１の構成を示すブロック図である。
【００２３】
図１において、表示システム１は、大別して、表示制御装置２、表示装置１０１及び外部装置１０２を有する。また、表示装置１０１は、第１表示部１０３を有する。外部装置１０２は、第２表示部１０４を有する。これら表示装置１０１と外部装置１０２とは、有線及び無線の少なくとも何れかによって通信可能に接続することができる。表示制御装置２は、検出部３、制御部４及び抽出部５を備える。
【００２４】
尚、以下の説明において、説明の便宜上、表示制御装置２、表示装置１０１及び外部装置１０２は、それぞれが別体に構成することとする。しかしながら、表示装置１０１及び外部装置１０２は、表示制御装置２を構成する各部を有する構成（例えば、図５）を採用してもよい。また、説明の便宜上、表示装置１０１は、表示対象になり得る全体画像を構成する情報を含む画像情報を主として表示する、例えば、メインディスプレイとして動作することとする。但し、本実施形態を例に説明する本発明は、前述した構成には限定されない（以下、各実施形態においても同様）。
【００２５】
検出部３は、表示対象になり得る全体画像のうち、一部の領域を表す画像情報を表示可能な表示装置１０１と、表示装置１０１と異なる他の外部装置１０２との相対位置を検出する。即ち、検出部３は、表示装置１０１と、表示装置１０１と通信可能に接続する外部装置１０２との相対位置を検出する。検出部３は、検出した相対位置を、後述する制御部４を介して、抽出部５に対して与える。即ち、検出部３は、検出した相対位置を表す情報を、制御部４を介して、抽出部５に対して送信する。
【００２６】
また、検出部３は、自装置（外部装置１０２）が移動したことを検出した場合に、表示装置１０１と、外部装置１０２との相対位置を検出する。検出部３は、検出した相対位置を表す情報を、抽出部５に対して送信する。
【００２７】
以下の説明では、説明の便宜上、画像を構成する情報を含む画像情報を、単に、「画像情報」と称する。
【００２８】
ここで、相対位置を表す情報とは、表示装置１０１と外部装置１０２との間の距離と、表示装置１０１と外部装置１０２とがなす角度（筐体角度とも称する）とを表す情報である。
【００２９】
より具体的に、検出部３は、例えば、測距センサ及び地磁気センサを採用することとする。即ち、測距センサは、表示装置１０１と外部装置１０２との間の距離を検出することができる。また、地磁気センサは、表示装置１０１と外部装置１０２とがなす角度を検出することができる。
【００３０】
尚、上述した本実施形態では、説明の便宜上、一例として、検出部３は、表示制御装置２に含まれる構成を例に説明した。しかしながら本発明に係る実施形態は、係る構成に限定されない。検出部３は、例えば、表示装置１０１または外部装置１０２に含まれる構成を採用してもよい。
【００３１】
また、説明の便宜上、一例として、相対位置は、測距センサ及び地磁気センサによって検出される構成を例に説明した。しかしながら本発明に係る実施形態は、係る構成に限定されない。相対位置は、例えば、測距センサ及び光センサによって検出される構成を採用してもよい。
【００３２】
より具体的に、以下の説明では、測距センサ及び光センサの構成と動作について、図２及び図３を参照して説明する。
【００３３】
図２は、本発明の第１の実施形態における測距センサの構成を概念的に例示する図である。図３は、本発明の第１の実施形態における測距センサ及び光センサの構成を概念的に例示する図である。
【００３４】
尚、説明の便宜上、図２及び図３には、測距センサ及び光センサの要部を図示することとする。また、説明の便宜上、一例として、図２及び図３において、外部装置１０２は、検出部３を含むこととする。また、表示装置１０１は、光センサ１０７を含むこととする。
【００３５】
図２において、検出部３である測距センサは、発光デバイスであるＬＥＤ（Ｌｉｇｈｔ  Ｅｍｉｔｔｉｎｇ  Ｄｉｏｄｅ）１０５と、受光デバイスである光センサ１０６を有する。ＬＥＤ１０５は、例えば、赤外光などの可視光でない光を照射してもよい。
【００３６】
光センサ１０６は、左側（紙面左方向）において、開口を有する。光センサ１０６は、例えば、開口内に複数の受光部（不図示）を有する。ＬＥＤ１０５は、表示装置１０１に光を照射する。即ち、測距センサでは、自装置と表示装置１０１との間の距離が異なる場合に、受光部に当たる光の位置が異なる。そのため、測距センサは、異なる光の位置によって当該距離を測定することができる。
【００３７】
より具体的に、測距センサは、図２に示すように、光源であるＬＥＤ１０５から表示装置１０１に光を照射する。測距センサは、表示装置１０１にあたることによって反射された光を、光センサ１０６によって受光する。これにより、測距センサは、受光した光に基づいて、表示装置１０１と外部装置１０２との間の距離を求めることができる。
【００３８】
図３において、表示装置１０１は、複数の光センサ１０７を有する。例えば、光センサ１０７は、表示装置１０１における上側（紙面上方向）、左側（紙面左方向）、右側（紙面右方向）に設けられている。
【００３９】
上側、左側及び右側に設けられた何れかの光センサ１０７は、測距センサのＬＥＤ１０５から照射された光を受光することによって、表示装置１０１と外部装置１０２とがなす角度を測定することができる。
【００４０】
尚、光センサ１０７は、上述した光センサ１０６と同様の構成である。そのため、重複する説明は省略する。
【００４１】
また、測距センサが装置間の距離を検出する技術自体は、現在では一般的な技術を採用することができる。また、地磁気センサまたは測距センサ及び光センサが２つの装置がなす角度を検出する技術自体は、現在では一般的な技術を採用することができる。そのため、本実施形態における詳細な説明は省略する（以下、各実施形態においても同様）。
【００４２】
抽出部５は、検出部３から相対位置を得るのに応じて処理を開始する。即ち、抽出部５は、検出部３から得た相対位置に応じて、表示装置１０１が有する第１表示部１０３に表示されていない領域に対応する画像のうち、外部装置１０２が有する第２表示部１０４に表示すべき特定の部分画像を抽出する。換言すると、抽出部５は、相対位置に応じて、第１表示部１０３に表示されていない領域に対応する画像情報のうち、全体画像に含まれる特定の部分画像を表す画像情報を抽出する。
【００４３】
図４は、本発明の第１の実施形態における抽出部５によって表示対象になり得る全体画像が分割された態様を概念的に例示する図である。
【００４４】
より具体的に、図４に示すように、抽出部５は、例えば、記憶領域（不図示）に保持された表示対象になり得る画像（全体画像）を、複数の領域に分割する。即ち、抽出部５は、全体画像を表す画像情報を、当該記憶領域の空間内において、複数の表示領域（例えば、図４の点線によって示す矩形Ｒ１及び矩形Ｌ１）に分割する。これら複数の領域は、それぞれが上記特定の部分画像となり得る。そして、抽出部５は、その分割された各領域が複数の部分画像を構成するよう、例えば、当該空間にラベルを付与する。
【００４５】
尚、図４に示す矩形Ｒ１及び矩形Ｌ１については、第２の実施形態において説明する。
【００４６】
抽出部５は、当該複数の領域の中から、相対位置を表す情報に基づいて、特定の部分画像を選定する。即ち、抽出部５は、相対位置を表す情報に基づいて、当該特定の部分画像を表すラベルが関連付けされている領域に対応する画像情報を抽出する。また、抽出部５は、抽出した特定の部分画像を、外部装置１０２に対して与える。即ち、抽出部５は、抽出した特定の部分画像を表す画像情報を、外部装置１０２に対して送信する。
【００４７】
より具体的に、一例として、抽出部５は、相対位置に対応する特定の部分画像を抽出する構成を採用してもよい。但し、本実施形態を例に説明する本発明は、前述した構成には限定されない（以下、各実施形態においても同様）。
【００４８】
尚、上述した本実施形態では、説明の便宜上、一例として、抽出部５は、表示対象になり得る全体画像を表す画像情報を、複数の領域に分割する構成を例に説明した。しかしながら本発明に係る実施形態は、係る構成に限定されない。抽出部５は、当該画像情報を、第２表示部１０４に表示可能な表示領域に基づき分割する構成を採用してもよい。その場合に、例えば、抽出部５は、第２表示部１０４の解像度に基づき領域を求める。そして、抽出部５は、求めた領域に基づいて当該画像情報を、複数の領域に分割する構成を採用してもよい。
【００４９】
また、説明の便宜上、一例として、抽出部５は、表示制御装置２に含まれる構成を例に説明した。しかしながら本発明に係る実施形態は、係る構成に限定されない。抽出部５は、表示装置１０１または外部装置１０２に含まれる構成を採用してもよい。その場合に、表示装置１０１または外部装置１０２は、例えば、記憶領域（不図示）から表示対象になり得る全体画像を表す画像情報を得ることによって実現することができる。
【００５０】
制御部４は、抽出部５から特定の部分画像を受信する。即ち、制御部４は、特定の部分画像を表す画像情報を受信する。また、制御部４は、特定の部分画像を、第２表示部１０４に表示させる。即ち、制御部４は、特定の部分画像を表す画像情報に基づいて、第２表示部１０４に特定の部分画像を表す画像情報を表示するよう制御する。
【００５１】
尚、例えば、制御部４は、外部装置１０２に含まれる構成を採用してもよい。
【００５２】
第１表示部１０３と第２表示部１０４とは、例えば、液晶パネル、有機ＥＬ（Ｅｌｅｃｔｒｏ  Ｌｕｍｉｎｅｓｃｅｎｃｅ）パネル、プラズマディスプレイパネル及びタッチパネル等の各種画像を表示することが可能な表示装置である。
【００５３】
尚、第１表示部１０３と第２表示部１０４とが画像を表示する技術自体は、現在では一般的な技術を採用することができる。そのため、本実施形態における詳細な説明は省略する（以下、各実施形態においても同様）。
【００５４】
表示装置１０１と外部装置１０２とは、例えば、ＵＳＢ（Ｕｎｉｖｅｒｓａｌ  Ｓｅｒｉａｌ  Ｂｕｓ）ケーブル、ワイヤレスＬＡＮ（Ｌｏｃａｌ  Ａｒｅａ  Ｎｅｔｗｏｒｋ）及びＢｌｕｅｔｏｏｔｈ（登録商標）通信の少なくとも何れかによって通信可能に接続することができる。
【００５５】
このように本実施の形態に係る表示制御装置２によれば、ユーザに煩わしい操作を強いることなく、直観的な操作によって所望する画像を表示することができる。その理由は、以下に述べる通りである。
【００５６】
即ち、表示制御装置２は、２つの装置間の相対位置を検出する検出部３と、相対位置に応じて、部分画像を抽出する抽出部５と、抽出された部分画像を第２表示部１０４に表示させる制御部４とを備えるからである。即ち、抽出部５は、外部装置１０２の位置に応じて、第２表示部１０４に表示する部分画像を抽出することができる。これによって、ユーザは、外部装置１０２を移動するという感覚的にわかりやすい方法によって、所望する箇所の画像を表示することができる。即ち、ユーザは、煩わしい操作から解放される。
【００５７】
また、表示制御装置２は、秘匿性の高い表示システムを提供することができる。例えば、一般的に知られたマルチディスプレイシステムは、同一サイズのディスプレイによって構成されている。そのため、ユーザは、メールなど不特定多数の人に見られたくない情報であっても、サブディスプレイに常時表示することとなる。これに対して、表示制御装置２は、当該情報を、外部装置１０２の位置によって容易に表示箇所を変更することができる。当該情報が表示されることのない位置に外部装置１０２を移動することによって、第２表示部１０４は、当該情報と異なる情報を表示する。即ち、表示制御装置２は、秘匿性の高い情報の覗き見を防止することができる。
【００５８】
＜第２の実施形態＞
次に、上述した本発明の第１の実施形態に係る表示制御装置２を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【００５９】
本発明の第２の実施形態における表示制御装置１１について、図４乃至図１０を参照して説明する。
【００６０】
図５は、本発明の第２の実施形態における表示制御装置１１を含む表示システム１０の構成を示すブロック図である。
【００６１】
図５において、表示システム１０は、大別して、メインディスプレイ１１１と操作装置１１２とを有する。メインディスプレイ１１１は、第１表示部１０３を有する。操作装置１１２は、第２表示部１０４を有する。また、表示制御装置１１は、検出部３及び制御部４、抽出部５及び操作部１２を備える。
【００６２】
メインディスプレイ１１１は、第１の実施形態において説明した表示装置１０１に相当する。操作装置１１２は、第１の実施形態において説明した外部装置１０２に相当する。
【００６３】
説明をよりわかりやすくすることを目的として、図５には、メインディスプレイ１１１と操作装置１１２とを図示することとする。しかしながら、表示システム１０は、１つ以上のメインディスプレイ１１１と、１つ以上の操作装置１１２とによって構成されていてもよい。
【００６４】
操作部１２は、メインディスプレイ１１１及び操作装置１１２の少なくとも何れかを操作することができる。
【００６５】
より具体的に、操作部１２は、例えば、ユーザによる操作を検出する。また、操作部１２は、検出した操作に基づいて、メインディスプレイ１１１及び操作装置１１２の少なくとも何れかを操作する。
【００６６】
例えば、操作部１２は、タッチパネルを含む構成でもよい。また、操作部１２は、例えば、ユーザにタッチパネルを操作されるのに応じて、その操作に基づいて次に示す処理を実行してもよい。即ち、操作部１２は、第１表示部１０３及び第２表示部１０４の輝度調整や第１表示部１０３及び第２表示部１０４に表示された画像を拡大または縮小する処理を実行するよう制御する構成を採用してもよい。或いは、例えば、操作部１２は、予め設けられた動作モードの種別に応じて、メインディスプレイ１１１及び操作装置１１２の少なくとも何れかを操作する構成を採用してもよい。その場合に、例えば、画像を表示する表示モードとして動作する場合に、操作部１２は、第２表示部１０４に部分画像を表示することとする。その一方で、通常モードの場合には、操作部１２は、メインディスプレイ１１１を操作する構成を採用してもよい。但し、本実施形態を例に説明する本発明は、前述した構成には限定されない。
【００６７】
本実施形態において、検出部３には、加速度センサを採用することとする。より具体的に、検出部３は、操作装置１１２が予め設定された設置位置（初期設定位置）から移動させられた場合に、その移動を検出する。そして、検出部３は、操作装置１１２が初期設定位置から移動させられた移動方向と移動距離とを検出する。検出部３は、検出した移動方向と移動距離とを表す情報を、相対位置を表す情報として、抽出部５に対して送信する。
【００６８】
尚、加速度センサが検出する移動方向には、メインディスプレイ１１１における表示面のＸ方向及びＹ方向によって示す２次元座標空間だけでなく、さらに、奥行き（Ｚ方向）を有する３次元座標空間を利用してもよい。
【００６９】
また、例えば、検出部３には、マウスなどに利用されているボール式、または光学式のセンサを採用してもよい。その場合には、検出部３は、Ｘ方向及びＹ方向の移動量を表す情報を、相対位置を表す情報として、抽出部５に対して送信する構成を採用してもよい。
【００７０】
尚、上述した本実施形態では、説明の便宜上、一例として、検出部３には、加速度センサを採用する構成を例に説明した。しかしながら本発明に係る実施形態は、係る構成に限定されない。検出部３には、例えば、加速度センサ、測距センサ及び地磁気センサを採用してもよい。或いは、検出部３には、例えば、加速度センサ、測距センサ及び光センサを採用してもよい。これにより、検出部３は、より精度の高い相対位置を検出することができる。
【００７１】
以下の説明において、より具体的に、本実施形態における表示制御装置１１の動作について説明する。
【００７２】
図６は、本発明の第２の実施形態におけるメインディスプレイ１１１と操作装置１１２とに画像を表示した態様を具体的に例示する図である。
【００７３】
以下の説明では、説明の便宜上、操作装置１１２は、例えば、携帯端末として動作することとする。また、以下の説明において、メインディスプレイ１１１と操作装置１１２とは、例えば、図４において説明した画像を表示することとする。
【００７４】
尚、説明の便宜上、上述した構成を例に説明するが、本実施形態を例に説明する本発明は、前述した構成には限定されない。
【００７５】
図７は、本発明の第２の実施形態における表示制御装置１１が行う動作を示すフローチャートである。係るフローチャートに沿って表示制御装置１１の動作手順を説明する。
【００７６】
例えば、ユーザは、操作装置１１２が有する第２表示部１０４に画像を表示可能なように、動作モードを表示モードに切り替えることとする。また、ユーザは、操作装置１１２を、初期設定位置から所望する位置に移動することとする。
【００７７】
検出部３は、操作装置１１２が初期設定位置から移動させられたことを検出する。検出部３は、メインディスプレイ１１１と操作装置１１２との相対位置を検出する。即ち、検出部３は、操作装置１１２の移動方向と移動距離とを検出する。検出部３は、検出した移動方向と移動距離とを、相対位置を表す情報として抽出部５に対して送信する（ステップＳ１）。
【００７８】
より具体的に、検出部３は、操作装置１１２が初期設定位置から移動させられた距離と方向とを検出する。
【００７９】
抽出部５は、検出部３から相対位置を表す情報を受信する。また、抽出部５は、受信した相対位置を表す情報に応じて、第１表示部１０３に表示されていない領域に対応する画像のうち、全体画像に含まれる特定の部分画像を表す画像情報を抽出する。抽出部５は、抽出した特定の部分画像を表す画像情報を、操作装置１１２に対して送信する（ステップＳ２）。
【００８０】
より具体的に、図６に示すように、操作装置１１２は、メインディスプレイ１１１の右側（紙面右方向）に位置する。そのため、抽出部５は、例えば、当該相対位置を表す情報に基づいて、図４の矩形Ｒ１に示す部分画像を抽出することができる。即ち、抽出部５は、図４に示す画像において、メインディスプレイ１１１の第１表示部１０３に表示されている画像よりも右側に位置する部分画像を抽出することができる。
【００８１】
図８は、本発明の第２の実施形態におけるメインディスプレイ１１１と操作装置１１２とに画像を表示した態様を具体的に例示する図である（移動後）。即ち、図８は、操作装置１１２が紙面右側から紙面左側に移動した態様を例示する図でもある。
【００８２】
図８に示すように、操作装置１１２は、メインディスプレイ１１１の左側（紙面左方向）に位置する。そのため、検出部３は、操作装置１１２が初期設定位置から移動した距離と方向とを検出する。抽出部５は、検出部３から相対位置を表す情報を受信する。また、抽出部５は、例えば、当該相対位置を表す情報に基づいて、図４の矩形Ｌ１に示す部分画像を抽出することができる。即ち、抽出部５は、図４に示す画像において、メインディスプレイ１１１の第１表示部１０３に表示されている画像よりも左側に位置する部分画像を抽出することができる。
【００８３】
このように、抽出部５は、相対位置に応じて、特定の部分画像を抽出することができる。
【００８４】
制御部４は、特定の部分画像を表す画像情報を、抽出部５から受信する。制御部４は、特定の部分画像を表す画像情報に基づいて、第２表示部１０４に特定の部分画像を表す画像情報を表示するよう制御する（ステップＳ３）。
【００８５】
図９は、本発明の第２の実施形態におけるメインディスプレイ１１１と、タッチパネルを有する操作装置１１２とに画像を表示した態様を具体的に例示する図である。図１０は、本発明の第２の実施形態におけるタブレット端末として動作するメインディスプレイ１１１と、小型端末として動作する操作装置１１２とに画像を表示した態様を具体的に例示する図である。
【００８６】
上述した本実施形態では、説明の便宜上、一例として、表示制御装置１１は、メインディスプレイ１１１と、携帯端末として動作する操作装置１１２とに適用する構成を例に説明した。しかしながら本発明に係る実施形態は、係る構成に限定されない。表示制御装置１１は、例えば、図９に示すように、メインディスプレイ１１１と、タッチパネルを有する操作装置１１２とに適用する構成を採用してもよい。
【００８７】
或いは、表示制御装置１１は、例えば、図１０に示すように、タブレット端末として動作するメインディスプレイ１１１と、スマートフォンなどの小型端末として動作する操作装置１１２とに適用する構成を採用してもよい。その場合に、一例として、メインディスプレイ１１１と操作装置１１２とは、Ｂｌｕｅｔｏｏｔｈ（登録商標）通信によって通信可能に接続する構成を採用してもよい。また、操作部１２は、マウスパットとして動作するタッチパネルを操作されるのに応じて、その操作に基づきメインディスプレイ１１１を操作してもよい。
【００８８】
このように本実施の形態に係る表示制御装置１１によれば、第１の実施形態において説明した効果を享受できると共に、さらに、メインディスプレイ１１１及び操作装置１１２の少なくとも何れかを操作することができる。
【００８９】
その理由は、表示制御装置１１は、メインディスプレイ１１１及び操作装置１１２の少なくとも何れかを操作することが可能な操作部１２を備えるからである。また、表示制御装置１１は、タブレット端末やスマートフォンなどに適用して好適である。
【００９０】
（ハードウェア構成例）
上述した実施形態において図面に示した各部は、ソフトウェアプログラムの機能単位（処理単位、ソフトウェアモジュール）と捉えることができる。これらの各ソフトウェアモジュールは、専用のハードウェアによって実現してもよい。但し、これらの図面に示した各部の区分けは、説明の便宜上の構成であり、実装に際しては、様々な構成が想定され得る。この場合のハードウェア環境の一例を、図１１を参照して説明する。
【００９１】
図１１は、本発明の模範的な実施形態に係る表示制御装置を実行可能な情報処理装置（コンピュータ）３００の構成を例示的に説明する図である。即ち、図１１は、コンピュータ（情報処理装置）の構成であって、上述した実施形態における各機能を実現可能なハードウェア環境を表す。このコンピュータは、表示制御装置２（図１）、或いは、表示制御装置１１（図５）、の全体または一部の表示制御装置を実現可能である。
【００９２】
図１１に示した情報処理装置３００は、以下の構成がバス３０６（通信線）を介して接続された一般的なコンピュータである。
【００９３】
・ＣＰＵ（Ｃｅｎｔｒａｌ＿Ｐｒｏｃｅｓｓｉｎｇ＿Ｕｎｉｔ）３０１、
・ＲＯＭ（Ｒｅａｄ＿Ｏｎｌｙ＿Ｍｅｍｏｒｙ）３０２、
・ＲＡＭ（Ｒａｎｄｏｍ＿Ａｃｃｅｓｓ＿Ｍｅｍｏｒｙ）３０３、
・ハードディスク（記憶装置）３０４、
・外部装置との通信インタフェース（Ｉｎｔｅｒｆａｃｅ：以降、「Ｉ／Ｆ」と称する）３０５。
【００９４】
そして、上述した実施形態を例に説明した本発明は、以下の手順によって達成される。即ち、図１１に示した情報処理装置３００に対して、その説明において参照したブロック構成図（図１、図５）或いはフローチャート（図７）の機能を実現可能なコンピュータ・プログラムが供給される。その後、そのコンピュータ・プログラムは、当該ハードウェアのＣＰＵ３０１に読み出されて実行されることによって達成される。また、当該装置内に供給されたコンピュータ・プログラムは、読み書き可能な一時記憶メモリ（ＲＡＭ３０３）またはハードディスク３０４等の不揮発性の記憶デバイスに格納すれば良い。
【００９５】
また、前記の場合において、当該ハードウェア内へのコンピュータ・プログラムの供給方法は、現在では一般的な手順を採用することができる。例えば、供給方法は、ＣＤ−ＲＯＭ等の各種記録媒体に格納されたコンピュータ・プログラムを、インターネット等の通信回線を介して外部よりダウンロードする方法等である。そして、このような場合において、本発明は、係るコンピュータ・プログラムを構成するコード、或いはそのコードが格納された記録媒体によって構成されると捉えることができる。
【００９６】
以上、実施形態を参照して本発明を説明してきたが、本発明は上記実施形態に限定されるものではない。本発明の構成や詳細には、本発明のスコープ内で当業者が理解しうる様々な変更をすることができる。
【符号の説明】
【００９７】
１    表示システム
２    表示制御装置
３    検出部
４    制御部
５    抽出部
１０    表示システム
１１    表示制御装置
１２    操作部
１０１    表示装置
１０２    外部装置
１０３    第１表示部
１０４    第２表示部
１０５    ＬＥＤ
１０６、１０７    光センサ
１１１    メインディスプレイ
１１２    操作装置
３００    情報処理装置
３０１    ＣＰＵ
３０２    ＲＯＭ
３０３    ＲＡＭ
３０４    ハードディスク
３０５    通信インタフェース
３０６    バス
【図１】
2016157051.tif 000003
【図２】
2016157051.tif 000004
【図３】
2016157051.tif 000005
【図４】
2016157051.tif 000006
【図５】
2016157051.tif 000007
【図６】
2016157051.tif 000008
【図７】
2016157051.tif 000009
【図８】
2016157051.tif 000010
【図９】
2016157051.tif 000011
【図１０】
2016157051.tif 000012
【図１１】
2016157051.tif 000013